(57)【要約】      （修正有）【課題】  簡単な操作で、視野内にある単語または文章を他の形態の単語または文章に変換し、変換された単語または文章を、視野内に表示することができる電子辞書を提供する。【解決手段】  カメラ１２によって撮像された文字列の画像信号を、信号伝達線路を介して、翻訳ユニットに出力する制御部１１とを備え、翻訳ユニットが、眼鏡ユニットの制御部から出力される文字列の画像信号を文字認識するＯＣＲ２４と、ＯＣＲが文字認識した文字列を翻訳して、翻訳結果を、信号伝達線路を介して、眼鏡ユニットに出力する制御部２１と、電源部２８を備え、眼鏡ユニットの表示素子が、翻訳結果を表示部に表示するように構成され、翻訳ユニットの電源部から、眼鏡ユニットに電力を供給するように構成された電子辞書。【選択図】      図３
2007280165.tif 000002
【特許請求の範囲】
【請求項１】
眼鏡ユニットと、前記眼鏡ユニットと別体に形成された文字列変換ユニットと、前記眼鏡ユニットと前記文字列変換ユニットとの間で、信号の授受が可能な信号伝達線路とを備え、
前記眼鏡ユニットが、眼鏡レンズと、前記眼鏡ユニットの視野内にある単語または文章よりなる文字列を画像入力可能な画像入力部と、前記画像入力部によって画像入力すべき前記眼鏡ユニットの視野内の単語または文章よりなる文字列を指定する文字列指定部および前記眼鏡ユニットの眼鏡視野内に、単語または文章よりなる文字列を表示する表示部を形成する表示素子と、前記表示素子を制御するとともに、前記画像入力部によって入力された前記文字列の画像信号を、前記信号伝達線路を介して、前記文字列変換ユニットに出力する制御部とを備え、
前記文字列変換ユニットが、前記眼鏡ユニットの前記制御部から出力される前記文字列の前記画像信号を文字認識する文字認識部と、前記文字認識部が文字認識した前記文字列を変換して、前記文字列の変換結果を、前記信号伝達線路を介して、前記眼鏡ユニットに出力する文字列変換処理部と、電源を備え、
前記眼鏡ユニットの前記表示素子が、前記文字列の変換結果を前記表示部に表示するように構成されるとともに、前記文字列変換ユニットの前記電源から、前記眼鏡ユニットに電力を供給するように構成されたことを特徴とする電子辞書。
【請求項２】
前記眼鏡ユニットが、さらに、前記文字列変換ユニットの前記電源によって充電可能な蓄電池を備えたことを特徴とする請求項１に記載の電子辞書。
【請求項３】
前記眼鏡ユニットが、さらに、鼻パッドに取り付けられた太陽電池を備え、前記蓄電池が、前記太陽電池によって充電可能に構成されたことを特徴とする請求項２に記載の電子辞書。
【請求項４】
前記眼鏡ユニットが、さらに、電源入力端子を備え、前記蓄電池が、前記電源入力端子を介して、外部電源によって充電可能に構成されたことを特徴とする請求項２または３に記載の電子辞書。
【請求項５】
前記画像入力部が、撮像素子によって構成されたことを特徴とする請求項１ないし４のいずれか１項に記載の電子辞書。
【請求項６】
さらに、前記文字列変換ユニットが、前記文字列の変換結果を音声信号に変換する音声変換部を備え、前記眼鏡ユニットと前記文字列変換ユニットとの間の前記信号伝達線路に、前記文字列の変換結果を音声出力するイヤホーンが接続されていることを特徴とする請求項１ないし５のいずれか１項に記載の電子辞書。
【請求項７】
前記信号伝達線路が、前記文字列変換ユニットから前記イヤホーンへの音声信号出力ケーブルと、前記眼鏡ユニットと前記文字列変換ユニットとの間で、信号を送受信する信号入出力ケーブルとによって構成され、前記音声信号出力ケーブルと前記信号入出力ケーブルとが一体化されていることを特徴とする請求項６に記載の電子辞書。
【発明の詳細な説明】
【技術分野】
【０００１】
本発明は、電子辞書に関するものであり、さらに詳細には、違和感なく、常時、頭部に装着することができ、簡単な操作で、視野内にある単語または文章を他の形態の単語または文章に変換し、変換された単語または文章を、視野内に重畳表示することができる電子辞書に関するものである。
【背景技術】
【０００２】
意味の分からない言葉を入力して、平易な言葉や同意語に変換し、あるいは、異なる言語に翻訳するために、電子辞書が広く用いられている。
【０００３】
従来の電子辞書は、通常、電卓型などの携帯端末機器として構成され、その原語表示と訳語表示が液晶などのディスプレイに表示されるように構成されているが、特許文献１は、原語表示と訳語表示を、人間の頭部に装着されるヘッドマウントの前方視野に重畳表示させるように構成され、電子辞書機能を有するヘッドマウントディスプレイ装置を提案している。
【０００４】
特許文献１に開示されたヘッドマウントディスプレイ装置によれば、外視野を観察できるとともに、必要に応じて、原語表示と訳語表示を、ヘッドマウントの前方視野に重畳表示させることができ、また、原語表示と訳語表示の選択が、主として視線入力方式によって切り換えられているので、いわゆるハンズフリーな状態で、電子辞書機能を利用することが可能になる。
【特許文献１】特開２００１−５６４４６号公報
【発明の開示】
【発明が解決しようとする課題】
【０００５】
しかしながら、特許文献１に開示されたヘッドマウントディスプレイ装置は大型であるため、頭部に装着した場合に、非常に違和感があり、また、電子辞書機能を利用しない場合には、視野を遮られてしまうため、電子辞書機能を利用しないときは、ヘッドマウントディスプレイ装置を取り外す必要があり、勝手が非常に悪いという問題があった。
【０００６】
また、特許文献１に記載されたヘッドマウントディスプレイ装置においては、原語表示と訳語表示が、主として視線入力方式によって選択されるように構成されているので、電子辞書として利用するためには、熟練を要するという問題もあった。
【０００７】
したがって、本発明は、違和感なく、常時、頭部に装着することができ、簡単な操作で、視野内にある単語または文章を他の形態の単語または文章に変換し、変換された単語または文章を、視野内に表示することができる電子辞書を提供することを目的とするものである。
【課題を解決するための手段】
【０００８】
本発明のかかる目的は、眼鏡ユニットと、前記眼鏡ユニットと別体に形成された文字列変換ユニットと、前記眼鏡ユニットと前記文字列変換ユニットとの間で、信号の授受が可能な信号伝達線路とを備え、前記眼鏡ユニットが、眼鏡レンズと、前記眼鏡ユニットの視野内にある単語または文章よりなる文字列を画像入力可能な画像入力部と、前記画像入力部によって画像入力すべき前記眼鏡ユニットの視野内の単語または文章よりなる文字列を指定する文字列指定部および前記眼鏡ユニットの眼鏡視野内に、単語または文章よりなる文字列を表示する表示部を形成する表示素子と、前記表示素子を制御するとともに、前記画像入力部によって入力された前記文字列の画像信号を、前記信号伝達線路を介して、前記文字列変換ユニットに出力する制御部とを備え、前記文字列変換ユニットが、前記眼鏡ユニットの前記制御部から出力される前記文字列の前記画像信号を文字認識する文字認識部と、前記文字認識部が文字認識した前記文字列を変換して、前記文字列の変換結果を、前記信号伝達線路を介して、前記眼鏡ユニットに出力する文字列変換処理部と、電源を備え、前記眼鏡ユニットの前記表示素子が、前記文字列の変換結果を前記表示部に表示するように構成されるとともに、前記文字列変換ユニットの前記電源から、前記眼鏡ユニットに電力を供給するように構成されたことを特徴とする電子辞書によって達成される。
【０００９】
本明細書において、「単語または文章よりなる文字列を変換する」とは、単語または文章よりなる文字列を他の言語に翻訳する場合、単語または文章よりなる文字列をわかりやすい言葉に言い換える場合、単語を同義語に置き換える場合など、単語または文章よりなる文字列を他の形態の単語または文章よりなる文字列に変換することを言う。
【発明の効果】
【００１０】
本発明によれば、電子辞書は、眼鏡ユニットと、眼鏡ユニットと別体に形成された変換ユニットを主たる構成要素とし、変換ユニットによって、単語または文章よりなる文字列が変換されるように構成され、電源も文字列変換ユニットに設けられているから、眼鏡ユニットは、眼鏡ユニットの視野内にある単語または文章よりなる文字列を画像入力する画像入力部と、画像入力部によって画像入力すべき眼鏡ユニットの視野内の単語または文章よりなる文字列を指定する文字列指定部および眼鏡ユニットの眼鏡視野内に、単語または文章よりなる文字列を表示する表示部を形成する表示素子と、制御部を備えていればよく、したがって、頭部に装着される眼鏡ユニットのサイズは、通常の眼鏡とほとんど変わらないから、眼鏡ユニットを装着していても、ユーザーが違和感を抱くことはない。したがって、歩行中にも、眼鏡ユニットを装着することができ、眼鏡ユニットを、常時、装着して、電子辞書機能を利用することができる。
【００１１】
また、本発明によれば、文字列指定部によって、変換の対象となる単語または文章よりなる文字列を指定して、画像入力し、変換するように構成されているから、視線入力方式によって、変換すべき単語または文章よりなる文字列を指定する場合のように、熟練を要することなく、所望の単語または文章よりなる文字列を変換することが可能になる。
【発明を実施するための最良の形態】
【００１２】
以下、添付図面に基づいて、本発明の好ましい実施形態につき、詳細に説明を加える。
【００１３】
図１は、本発明の第一の実施形態にかかる電子辞書の略斜視図である。
【００１４】
図１に示されるように、本実施形態にかかる電子辞書は、単語または文章の翻訳のための電子辞書として構成され、眼鏡レンズ１０ａを備えた眼鏡ユニット１０と、翻訳ユニット２０と、イヤホーン３０とを備えている。
【００１５】
翻訳ユニット２０は、ペンダント状に形成されており、したがって、本実施形態にかかる電子辞書は、眼鏡ユニット１０を、通常の眼鏡と同様に、頭部に装着するとともに、イヤホーン３０を耳に装着し、翻訳ユニット２０を首にかけた状態で使用することができる。
【００１６】
図１には図示されていないが、眼鏡ユニット１０の眼鏡レンズ１０ａの上側のフレーム１０ｃ内には、眼鏡ユニット１０の動作を制御する制御ブロックが取り付けられている。制御ブロックには、第１のケーブル３６が接続され、第１のケーブル３６は、眼鏡ユニット１０のつる１０ｂ内を通って、つる１０ｂの先端部から延出され、イヤホーン３０の接続部３１に着脱可能に接続されている。
一方、イヤホーン３０の接続部３２と翻訳ユニット２０の接続部２７との間は、第２のケーブル３７によって接続されており、したがって、眼鏡ユニット１０は、第１のケーブル３６、イヤホーン３０および第２のケーブル３７を介して、翻訳ユニット２０に接続されている。
【００１７】
図２は、眼鏡ユニット１０の略縦断面図である。
【００１８】
図２に示されるように、眼鏡ユニット１０は、眼鏡レンズ１０ａの略中央部に埋め込まれたホログラムミラー１０ｄと、眼鏡レンズ１０ａのほぼ全面に、表示素子５０（図示せず）を備え、眼鏡レンズ１０ａの上側のフレーム１０ｃ内に取り付けられた制御ブロック４０内に、カメラ１２を備えている。カメラ１２は、モノクロタイプの撮像素子を有している。
【００１９】
図３は、図１に示された電子辞書の電気的構成を示すブロックダイアグラムである。
【００２０】
図３に示されるように、眼鏡ユニット１０は、眼鏡レンズ１０ａの上側のフレーム１０ｃに取り付けられた制御ブロック４０と、つる１０ｂの基部に取り付けられた手動操作部４５と、眼鏡レンズ１０ａのほぼ全面に取り付けられた表示素子５０と、鼻パッド１０ｅに取り付けられた太陽電池４１を備えている。
【００２１】
図３に示されるように、制御ブロック４０は、眼鏡ユニット１０全体の動作を制御する制御部１１と、眼鏡の視野内の翻訳すべき単語または文章を含む文字列を撮像し、文字列の画像信号を生成するカメラ１２と、カメラ１２によって生成された翻訳すべき単語または文章を含む文字列の画像信号を格納する画像メモリ１３と、カメラ１２によって生成された文字列の画像信号を、第１のケーブル３６および第２のケーブル３７によって通信可能な信号形式に処理する信号処理部１４と、翻訳すべき単語または文章からなる文字列を記憶する文字列メモリ１５と、翻訳された単語または文章からなる文字列を記憶する翻訳文字列メモリ１６と、蓄電池を備えた補助電源部１８を備えている。
【００２２】
図３に示されるように、蓄電池を備えた補助電源部１８は、充電制御回路（図示せず）を介して、眼鏡ユニット１０の鼻パッド１０ｅに取り付けられた太陽電池４１に接続され、補助電源部１８の蓄電池が、太陽電池４１によって、充電可能に構成されている。
【００２３】
眼鏡ユニット１０の手動操作部４５は、ユーザーが、眼鏡のずれを直す際に、自然と手が触れるつる１０ｂの基部に設けられており、図３に示されるように、手動操作部４５は、制御ブロック４０の制御部１１に接続され、電子辞書を起動させる際に操作される電源スイッチ４５ａと、電子辞書に、眼鏡ユニット１０の表示部に表示された翻訳すべき単語または文章からなる文字列の翻訳を開始させる翻訳開始スイッチ４５ｂと、翻訳すべき単語または文章からなる文字列を指定する文字列指定部４５ｃとを備えている。
【００２４】
後述するように、表示素子５０は、眼鏡ユニット１０の視野内に、単語または文章からなる文字列を特定するための視線マークを形成するととともに、単語または文章からなる文字列を表示し、単語または文章からなる文字列の翻訳結果を表示する表示部を形成する機能を有している。
【００２５】
図３に示されるように、翻訳ユニット２０は、翻訳ユニット２０全体の動作を制御する制御部２１と、ユーザーによって操作可能に構成された手動操作部２２と、辞書データベース２３と、眼鏡ユニット１０から入力された翻訳すべき単語または文章を含む文字列の画像信号を文字認識するＯＣＲ２４と、眼鏡ユニット１０から入力された翻訳すべき単語または文章を含む文字列の画像信号を格納する画像メモリ２５と、翻訳すべき単語または文章からなる文字列およびＯＣＲ２４によって判定された文字列の向きについての判定結果を記憶するメモリ２６と、第２のケーブル３７が接続される接続部２７と、電源部２８と、タイマー２９と、音声信号を生成して、イヤホーン３０に出力する音声変換部３５とを備えている。
【００２６】
図３に示されるように、翻訳ユニット２０の手動操作部２２は、電子辞書を起動させる際に操作される電源スイッチ２２ａと、制御部２１に、眼鏡ユニットの表示部に表示された翻訳すべき単語または文章からなる文字列の翻訳を開始させる翻訳開始スイッチ２２ｂと、翻訳に用いる辞書を指定する辞書指定部２２ｃとを備えている。
【００２７】
辞書データベース２３は、辞書を格納したメモリカードなどを、翻訳ユニット２０に差し込むことによって、辞書の追加ができるように構成されている。
【００２８】
図３に示されるように、イヤホーン３０は、眼鏡ユニット１０のつる１０ｂの先端部から延びる第１のケーブル３６が接続された接続部３１と、第２のケーブル３７が接続された接続部３２と、音声を発する音声発生部３３とを備えている。
【００２９】
図３に示されるように、第１のケーブル３６は、眼鏡ユニット１０の補助電源部１８への充電電源供給ライン３６ａと、眼鏡ユニット１０の信号処理部１４の出力信号ライン３６ｂと、眼鏡ユニット１０の制御部１１と翻訳ユニット２０の制御部２１との間の入出力信号ライン３６ｃを備え、一方、第２のケーブル３７は、眼鏡ユニット１０の補助電源部１８への充電電源供給ライン３７ａと、眼鏡ユニット１０の信号処理部１４の出力信号ライン３７ｂと、眼鏡ユニット１０の制御部１１と翻訳ユニット２０の制御部２１との間の入出力信号ライン３７ｃと、イヤホーン３０への音声信号出力ライン３７ｄを備えている。
【００３０】
したがって、眼鏡ユニット１０の補助電源部１８の蓄電池を、翻訳ユニット２０の電源部２８からの電力によって、充電することができ、翻訳ユニット２０からの電源供給が切断されたときにも、眼鏡ユニット１０を作動させることができ、たとえば、以前に翻訳され、翻訳文字列メモリ１６に保存されている単語または文章からなる文字列の翻訳を、後述する表示部５０ｂに表示させることができる。
【００３１】
以上のように構成された本実施形態にかかる電子辞書は、以下のようにして、文字または文章を翻訳する。
【００３２】
まず、眼鏡ユニット１０が、通常の眼鏡と同様に、ユーザーの頭部に装着されるとともに、イヤホーン３０が耳に装着され、翻訳ユニット２０がユーザーの首にかけられる。
【００３３】
次いで、ユーザーによって、眼鏡ユニット１０の手動操作部４５の電源スイッチ４５ａまたは翻訳ユニット２０の手動操作部２２の電源スイッチ２２ａが操作されて、電子辞書が起動される。
【００３４】
電子辞書が起動されると、眼鏡ユニット１０の制御部１１から、表示素子５０に表示信号が出力され、図４（Ａ）に示されるように、眼鏡ユニット１０の表示素子５０により、眼鏡ユニット１０の眼鏡視野５５のほぼ中央部に、翻訳すべき単語または文章からなる文字列を特定するための十字状の視線マーク５０ａが形成されるととともに、眼鏡ユニット１０の眼鏡視野５５の下方に、翻訳すべき単語または文章からなる文字列を表示し、翻訳すべき単語または文章からなる文字列の翻訳結果を表示する表示部５０ｂが形成される。図４（Ａ）において、５６は、カメラ１２の撮影範囲を示している。
【００３５】
眼鏡ユニット１０の眼鏡視野５５のほぼ中央部に形成される視線マーク５０ａの位置と、カメラ１２の画面内の位置は、あらかじめ対応付けられており、ユーザーが頭部を動かして、翻訳すべき単語または文章からなる文字列に、視線マーク５０ａを合わせることによって、翻訳すべき単語または文章からなる文字列を含む画像の範囲が特定される。
【００３６】
翻訳に先立って、ユーザーによって、翻訳ユニット２０の手動操作部２２の辞書指定部２２ｃが操作されて、翻訳に用いられる辞書が指定される。
【００３７】
図２に示されるように、ユーザーが特定した翻訳すべき単語または文章からなる文字列を含む文字列から、眼鏡レンズ１０ａに入射した光の一部は、眼鏡レンズ１０ａの略中央部に設けられたホログラムミラー１０ｄによって、上方に反射され、制御ブロック４０のカメラ１２に入射し、翻訳すべき単語または文章からなる文字列を含む所望の範囲の画像が、カメラ１２によって撮像される。
【００３８】
ここに、ユーザーが両眼で翻訳すべき単語または文章からなる文字列を見ている場合には、翻訳すべき単語または文章からなる文字列までの距離に応じて、眼が輻輳調節をおこなうため、視線の方向が微妙に変化するので、カメラ１２に距離測定機能を持たせ、翻訳すべき単語または文章からなる文字列までの距離に応じて、視線マーク５０ａの位置を変化させるようにすることが好ましい。
【００３９】
カメラ１２によって生成された翻訳すべき単語または文章からなる文字列を含む文字列の画像信号は、画像メモリ１３に格納された後、信号処理部１４によって、通信可能な信号形式に処理されて、第１のケーブル３６、イヤホーン３０および第２のケーブル３７を介して、翻訳ユニット２０に送られる。
【００４０】
翻訳ユニット２０に送られた翻訳すべき単語または文章からなる文字列を含む文字列の画像信号は、制御部２１に入力され、制御部２１は、眼鏡ユニット１０から画像信号を受けると、翻訳すべき単語または文章からなる文字列を含む文字列の画像信号を画像メモリ２５に格納した後、ＯＣＲ２４に転送する。
【００４１】
同時に、翻訳ユニット２０の制御部２１は、タイマー２９を起動させる。
【００４２】
翻訳すべき単語または文章からなる文字列を含む文字列の画像信号が入力されると、ＯＣＲ２４は、視線マーク５０ａに対応した画像内の位置を中心として、余白までの範囲の画像信号を文字認識し、翻訳すべき単語または文章からなる文字列を含む文字列認識信号を生成して、文字列認識信号を制御部２１に出力する。
【００４３】
同時に、ＯＣＲ２４は、翻訳すべき単語または文章を含む文字列が、横書きか、縦書きか、すなわち、翻訳すべき単語または文章を含む文字列の向きを判定し、翻訳すべき単語または文章からなる文字列を含む文字列認識信号とともに、翻訳すべき文字列の向きについての判定信号を制御部２１に出力する。
【００４４】
制御部２１は、ＯＣＲ２４から、翻訳すべき単語または文章を含む文字列および文字列の向きについての判定信号を受けると、翻訳すべき単語または文章を含む文字列および文字列の向きについての判定結果をメモリ２６に保存するとともに、接続部２７を介して、翻訳すべき単語または文章からなる文字列を含む文字列認識信号および翻訳すべき文字列の向きについての判定信号を、眼鏡ユニット１０に出力する。
【００４５】
翻訳すべき単語または文章からなる文字列を含む文字列認識信号および翻訳すべき文字列の向きについての判定信号は、第２のケーブル３７、イヤホーン３０および第１のケーブル３６を通って、眼鏡ユニット１０の制御ブロック４０の制御部１１に送られる。
【００４６】
制御ブロック４０の制御部１１は、文字列認識信号を文字列メモリ１５に出力し、翻訳すべき単語または文章を含む文字列を、文字列メモリ１５に保存する。
【００４７】
さらに、制御ブロック４０の制御部１１は、文字列の向きについての判定信号に基づき、翻訳ユニット２０のＯＣＲ２４が文字認識した文字列が横書きかである場合には、横書き表示信号とともに、翻訳すべき単語または文章を含む文字列を、表示素子５０に出力する。
【００４８】
眼鏡ユニット１０の表示素子５０は、制御部１１から、横書き表示信号とともに、翻訳すべき単語または文章を含む文字列を受けると、文字列を図４（Ａ）に示される眼鏡ユニット１０の眼鏡視野５５内の表示部５０ｂに表示する。
【００４９】
この時点では、表示部５０ｂに表示された単語または文章からなる文字列が、ユーザーが翻訳したいと考えている文字列であるということは確定していないので、表示素子５０は、文字列を点滅させる。
【００５０】
これに対して、翻訳ユニット２０のＯＣＲ２４が文字認識した文字列が縦書きであると判定したときは、制御ブロック４０の制御部１１は、縦書き表示信号とともに、翻訳すべき単語または文章を含む文字列を、表示素子５０に出力する。
【００５１】
表示素子５０は、制御ブロック４０の制御部１１から、翻訳すべき単語または文章を含む文字列とともに、縦書き表示信号を受けると、図４（Ｂ）に示されるように、表示部５０ｂを、眼鏡ユニット１０の眼鏡視野５５の内方の位置に、縦方向に形成し、文字列を、こうして形成した表示部５０ｂに表示させ、点滅させる。図４（Ｂ）において、５６は、カメラ１２の撮影範囲を示している。
【００５２】
その結果、表示部５０ｂに表示された文字列が、翻訳したい単語または文章からなる文字列であるときは、ユーザーによって、眼鏡ユニット１０の手動操作部４５に設けられた翻訳開始スイッチ４５ｂまたは翻訳ユニット２０の手動操作部２２に設けられた翻訳開始スイッチ２２ｂが操作される。
【００５３】
眼鏡ユニット１０の手動操作部４５に設けられた翻訳開始スイッチ４５ｂが操作されると、翻訳開始信号が、眼鏡ユニット１０の制御部１１に入力され、第１のケーブル３６、イヤホーン３０、第２のケーブル３７を介して、翻訳ユニット２０に送られ、翻訳ユニット２０の制御部２１に入力される。
【００５４】
一方、翻訳ユニット２０の手動操作部２２に設けられた翻訳開始スイッチ２２ｂが操作されると、翻訳開始信号が、翻訳ユニット２０の制御部２１に入力される。翻訳開始信号は、さらに、制御ブロック４０の制御部１１に転送される。
【００５５】
翻訳開始信号を受けると、制御ブロック４０の制御部１１は、表示素子５０に文字列確定信号を出力して、表示部５０ｂに表示された文字列の点滅を停止させる。
【００５６】
翻訳開始信号を受けると、翻訳ユニット２０の制御部２１は、メモリ２６に記憶されている単語または文章からなる文字列を読み出し、辞書データベースにアクセスして、あらかじめ選択された辞書を用いて、文字列を翻訳し、第２のケーブル３７、イヤホーン３０および第１のケーブル３６を介して、眼鏡ユニット１０の制御ブロック４０に出力する。翻訳された単語または文章からなる文字列は、制御ブロック４０の制御部１１に入力されるとともに、翻訳文字列メモリ１６に記憶される。
【００５７】
同時に、制御部１１は、翻訳された単語または文章からなる文字列を、表示素子５０に出力する。
【００５８】
表示素子５０は、制御ブロック４０の制御部１１から、翻訳された単語または文章からなる文字列を受けると、その文字列を表示部５０ｂに表示する。
【００５９】
さらに、翻訳ユニット２０の制御部２１は、単語または文章からなる文字列を翻訳し、第２のケーブル３７、イヤホーン３０および第１のケーブル３６を介して、眼鏡ユニット１０の制御ブロック４０に出力するのと同時に、翻訳した文字列を、音声変換部３５に出力する。音声変換部３５は、入力された文字列を音声信号に変換し、第２のケーブル３７を介して、イヤホーン３０に出力し、その結果、イヤホーン３０から、翻訳された単語または文章からなる文字列に対応する音声が発せられる。
【００６０】
これに対して、表示部５０ｂに表示された文字列が、翻訳すべき単語または文章からなる文字列を含んでいるが、翻訳すべき単語または文章からなる文字列以外の文字列も含んでいるときは、ユーザーは、眼鏡ユニット１０に設けられた手動操作部４５の文字列指定部４５ｃを操作して、たとえば、視線マーク５０ａを、翻訳すべき単語または文章からなる文字列の始点から終点まで移動させ、翻訳すべき単語または文章からなる文字列を指定する。
【００６１】
ユーザーによって指定された文字列は、眼鏡ユニット１０の制御部１１に入力され、制御部１１は、ユーザーによって指定された文字列を受けると、文字列メモリ１５に保存されている文字列に上書きするとともに、表示素子５０に出力する。
【００６２】
その結果、表示素子５０によって、表示部５０ｂに、ユーザーによって指定された文字列が表示される。
【００６３】
この時点では、表示部５０ｂに表示された文字列が、ユーザーが翻訳したいと考えている文字列であるということは確定していないので、表示素子５０は、文字列を点滅させる。
【００６４】
こうして、表示部５０ｂに表示された文字列が、翻訳したい単語または文章からなる文字列であるときは、ユーザーによって、眼鏡ユニット１０の手動操作部４５に設けられた翻訳開始スイッチ４５ｂまたは翻訳ユニット２０の手動操作部２２に設けられた翻訳開始スイッチ２２ｂが操作され、上述したのと同様にして、翻訳ユニット２０によって、単語または文章からなる文字列が翻訳されて、眼鏡ユニット１０の表示部５０ｂに表示されるとともに、イヤホーン３０から、翻訳された単語または文章からなる文字列に対応する音声が発せられる。
【００６５】
一方、表示部５０ｂに表示された文字列が、依然として、翻訳すべき単語または文章からなる文字列以外の文字列も含んでいるときは、ユーザーは、眼鏡ユニット１０に設けられた手動操作部４５の文字列指定部４５ｃを操作して、翻訳すべき単語または文章からなる文字列を指定し、上述したのと同様の処理が繰り返される。
【００６６】
これに対して、眼鏡ユニット１０の表示部５０ｂに表示された文字列に、ユーザーが翻訳したいと考えている単語または文章からなる文字列が含まれていないときは、ユーザーは首を振って、視線マーク５０ａを動かし、翻訳すべき単語または文章からなる文字列を含む文字列の範囲を所望の範囲に変化させる。
【００６７】
その結果、ユーザーが特定した翻訳すべき単語または文章からなる文字列を含む文字列の画像が、制御ブロック４０のカメラ１２によって撮像されて、翻訳すべき単語または文章からなる文字列を含む文字列の画像信号が生成され、画像信号は、画像メモリ１３に格納された後、信号処理部１４によって、第１のケーブル３６および第２のケーブル３７により通信可能な信号形式に処理されて、第１のケーブル３６、イヤホーン３０および第２のケーブル３７を介して、翻訳ユニット２０の接続部２７に送られる。
【００６８】
翻訳ユニット２０に入力された翻訳すべき単語または文章からなる文字列を含む文字列の画像信号は、制御部２１に入力され、制御部２１は、眼鏡ユニット１０から画像信号を受けると、画像信号を画像メモリ２５に格納した後、ＯＣＲ２４に転送するとともに、タイマー２９をリセットして、再起動させる。
【００６９】
同時に、制御部２１は、前回に、メモリ２６に記憶した文字列を消去するとともに、文字列の向きについての判定結果を読み出して、ＯＣＲ２４に出力する。
【００７０】
翻訳すべき単語または文章からなる文字列を含む文字列の画像信号および文字列の向きについての判定結果を受けると、ＯＣＲ２４は、視線マーク５０ａに対応した画像内の位置を中心として、余白までの範囲の画像信号を、文字列の向きについての判定結果にしたがって、横方向あるいは縦方向に、順次、文字認識し、翻訳すべき単語または文章からなる文字列を含む文字列認識信号を生成して、文字列認識信号を眼鏡ユニット１０の制御部１１に出力する。
【００７１】
文字列認識信号を受けると、上述したのと同様にして、文字列認識信号が処理され、表示部５０ｂに、文字列が表示され、翻訳ユニット２０によって、ユーザーが翻訳したいと考えている単語または文章からなる文字列が翻訳されて、眼鏡ユニット１０の表示部５０ｂに表示されるとともに、イヤホーン３０から、翻訳された単語または文章からなる文字列に対応する音声が発せられる。
【００７２】
一方、タイマー２９が起動されてから、所定の時間が経過したとき、すなわち、眼鏡ユニット１０の表示部５０ｂに、翻訳すべき単語または文章からなる文字列が表示されてから、ユーザーが、翻訳すべき文字列を選択し直すことなく、同じ単語または文章からなる文字列が表示部５０ｂに表示されたまま、所定の時間が経過したときは、タイマー２９から、翻訳開始信号が、翻訳ユニット２０の制御部２１に出力される。
【００７３】
これは、翻訳すべき単語または文章からなる文字列が表示されてから、所定の時間にわたって、ユーザーが、翻訳すべき文字列を選択し直さず、同じ単語または文章からなる文字列が表示部５０ｂに表示されているときは、ユーザーは、表示部５０ｂに表示された単語または文章からなる文字列を翻訳することに異議を有していないと認められるからである。
【００７４】
タイマー２９から、翻訳開始信号が入力されると、制御部２１は、眼鏡ユニット１０の手動操作部４５に設けられた翻訳開始スイッチ４５ｂまたは翻訳ユニット２０の手動操作部２２に設けられた翻訳開始スイッチ２２ｂが操作された場合と同様にして、眼鏡ユニット１０の表示部５０ｂに表示された文字列を翻訳して、翻訳した文字列を眼鏡ユニット１０に送り、眼鏡ユニット１０の制御部１１によって、翻訳された単語または文章からなる文字列が、表示部５０ｂに表示される。
【００７５】
本実施形態によれば、電子辞書は、眼鏡ユニット１０と、眼鏡ユニット１０と別体に形成された翻訳ユニット２０と、イヤホーン３０によって構成され、単語または文章よりなる文字列を翻訳するための機構はすべて、翻訳ユニット２０に設けられており、眼鏡ユニット１０は、単に、カメラ１２、制御部１１、表示素子５０および手動操作部４５など最小限の機構を含む制御ブロック４０を、眼鏡レンズ１０ａの上側のフレーム１０ｃ内に備えているに過ぎないから、眼鏡ユニット１０のサイズは、通常の眼鏡とほとんど変わらず、したがって、眼鏡ユニット１０を装着していても、ユーザーが違和感を抱くことはないから、歩行中にも、眼鏡ユニットを装着することができ、眼鏡ユニットを、常時、装着して、電子辞書機能を利用することができる。
【００７６】
また、本実施形態によれば、電子辞書は、眼鏡ユニット１０と、ペンダント状に形成された翻訳ユニット２０と、イヤホーン３０により構成されているから、眼鏡ユニット１０を頭部に装着するとともに、イヤホーン３０を耳に装着し、翻訳ユニット２０を首にかけた状態で使用することができ、さらに、第１のケーブル３６は、単に、眼鏡ユニット１０のつる１０ｂの先端部とイヤホーン３０を接続しているに過ぎず、また、イヤホーン３０と翻訳ユニット２０を接続する第２のケーブル３７はペンダントの鎖のように見えるから、電子辞書を使用中に、周囲に違和感を与えることもない。
【００７７】
さらに、本実施形態によれば、ユーザーが、翻訳をしたい単語または文章よりなる文字列に視線マーク５０ａを合わせるだけで、翻訳の対象となる単語または文章よりなる文字列が、眼鏡ユニット１０の表示部５０ｂに表示され、ユーザーが、眼鏡ユニット１０の手動操作部４５に設けられた翻訳開始スイッチ４５ｂもしくは翻訳ユニット２０の手動操作部２２に設けられた翻訳開始スイッチ２２ｂを操作したとき、または、翻訳の対象となる単語または文章よりなる文字列が、眼鏡ユニット１０の表示部５０ｂに表示されてから、所定の時間が経過するまで、視線マーク５０ａを動かして、翻訳すべき単語または文章からなる文字列を含む文字列の範囲を変化させなかったときに、単語または文章よりなる文字列を翻訳するように構成されているから、熟練を要することなく、所望の単語または文章よりなる文字列を翻訳することは可能になる。
【００７８】
また、本実施形態によれば、ＯＣＲ２４が、翻訳すべき単語または文章からなる文字列を含む文字列の画像信号を文字認識する際に、文字列が横書きか、縦書きかを判定し、その判定結果に基づいて、文字列が横書きの場合には、図４（Ａ）に示されるように、眼鏡ユニット１０の眼鏡視野５５の下方に、表示部５０ｂが横方向に形成され、一方、文字列が縦書きの場合には、図４（Ａ）に示されるように、眼鏡視野５５の内方に、表示部５０ｂが縦方向に形成されるから、ユーザーの視野を妨げることなく、翻訳すべき単語または文章からなる文字列および翻訳をした単語または文章からなる文字列を、眼鏡ユニット１０の視野内に表示することが可能になる。
【００７９】
さらに、本実施形態によれば、ＯＣＲ２４が、翻訳すべき単語または文章からなる文字列を含む文字列の画像信号を文字認識する際に、文字列が横書きか、縦書きかを判定し、その判定結果が、翻訳ユニット２０の制御部２１のメモリ２６に保存され、次に、ＯＣＲ２４が翻訳すべき単語または文章からなる文字列を含む文字列の画像信号を文字認識するにあたって、制御部２２から、文字列の向きについての判定結果が、ＯＣＲ２４に出力され、ＯＣＲ２４が、翻訳すべき単語または文章からなる文字列を含む文字列の画像信号を文字認識する方向が指定されるから、翻訳すべき単語または文章からなる文字列を含む文字列認識信号を生成する時間を短縮することが可能になる。
【００８０】
図５は、本発明の第二の実施形態にかかる電子辞書の略斜視図である。
【００８１】
図５に示されるように、本実施形態にかかる電子辞書は、単語または文章の翻訳のための電子辞書として構成され、眼鏡レンズ１０ａを備えた眼鏡ユニット１０と、翻訳ユニット２０と、イヤホーン３０と、マイクロフォン６０とを備えている。
【００８２】
本実施形態においても、翻訳ユニット２０は、ペンダント状に形成されており、したがって、電子辞書は、眼鏡ユニット１０を、通常の眼鏡と同様に、頭部に装着するとともに、イヤホーン３０を耳に装着し、翻訳ユニット２０を首にかけた状態で使用することができる。
【００８３】
図５には図示されていないが、眼鏡ユニット１０の眼鏡レンズ１０ａの上側のフレーム１０ｃ内には、眼鏡ユニット１０の動作を制御する制御ブロックが取り付けられている。制御ブロックには、第１のケーブル３６が接続され、第１のケーブル３６は、眼鏡ユニット１０のつる１０ｂ内を通って、つる１０ｂの先端部から延出され、イヤホーン３０の接続部３１に着脱可能に接続されている。
【００８４】
イヤホーン３０の接続部３２からは、第２のケーブル３７が延び、マイクロフォン６０に接続され、マイクロフォン６０と翻訳ユニット２０の接続部２７との間は、第３のケーブル３８によって接続されている。
【００８５】
図６は、眼鏡ユニット１０の略縦断面図である。
【００８６】
図６に示されるように、本実施形態においては、眼鏡ユニット１０は、眼鏡レンズ１０ａのほぼ全面に取り付けられた表示素子５０（図示せず）と、眼鏡レンズ１０ａの上側のフレーム１０ｃ内に取り付けられた制御ブロック４０を備えている。
【００８７】
図７は、図５に示された電子辞書の電気的構成を示すブロックダイアグラムである。
【００８８】
図７に示されるように、眼鏡ユニット１０は、眼鏡レンズ１０ａの上側のフレーム１０ｃ内に取り付けられた制御ブロック４０と、つる１０ｂの基部に取り付けられた手動操作部４５と、眼鏡レンズ１０ａのほぼ全面に取り付けられた表示素子５０と、鼻パッド１０ｅに取り付けられた太陽電池４１を備えている。
【００８９】
図７に示されるように、制御ブロック４０は、眼鏡ユニット１０全体の動作を制御する制御部１１と、翻訳すべき単語または文章からなる文字列を記憶する文字列メモリ１５と、翻訳された単語または文章からなる文字列を記憶する翻訳文字列メモリ１６と、蓄電池を備えた補助電源部１８を備えている。
【００９０】
眼鏡ユニット１０の手動操作部４５は、ユーザーが、眼鏡のずれを直す際に、自然と手が触れるつる１０ｂの基部に設けられており、図７に示されるように、手動操作部４５は、制御ブロック４０の制御部１１に接続され、電子辞書を起動させる際に操作される電源スイッチ４５ａと、電子辞書に、眼鏡ユニット１０の表示部に表示された翻訳すべき単語または文章からなる文字列の翻訳を開始させる翻訳開始スイッチ４５ｂとを備えている。
【００９１】
図７に示されるように、蓄電池を備えた補助電源部１８は、充電制御回路（図示せず）を介して、眼鏡ユニット１０の鼻パッド１０ｅに取り付けられた太陽電池４１に接続され、補助電源部１８の蓄電池が、太陽電池４１によって、充電可能に構成されている。
【００９２】
表示素子５０は、眼鏡ユニット１０の眼鏡視野内に、翻訳すべき文字列を表示し、翻訳結果を表示する表示部５０ｂを形成する機能を有している。
【００９３】
図７に示されるように、翻訳ユニット２０は、翻訳ユニット２０全体の動作を制御する制御部２１と、ユーザーによって操作可能に構成された手動操作部２２と、辞書データベース２３と、マイクロフォン６０から入力された翻訳すべき単語または文章からなる文字列の音声信号を記憶する音声メモリ６５と、マイクロフォン６０から入力された翻訳すべき単語または文章からなる文字列の音声信号を、通信可能な信号形式に処理し、翻訳すべき単語または文章の文字列信号を生成する信号処理部６６と、翻訳すべき単語または文章の文字列信号を記憶する文字列メモリ６７と、音声信号を生成して、イヤホーン３０に出力する音声変換部３５と、第３のケーブル３８が接続される接続部２７と、電源部２８と、タイマー２９とを備えている。
【００９４】
図７に示されるように、翻訳ユニット２０の手動操作部２２は、電子辞書を起動させる際に操作される電源スイッチ２２ａと、制御部２１に、眼鏡ユニットの表示部に表示された翻訳すべき単語または文章からなる文字列の翻訳を開始させる翻訳開始スイッチ２２ｂと、翻訳に用いる辞書を指定する辞書指定部２２ｃとを備えている。
【００９５】
辞書データベース２３は、辞書を格納したメモリカードなどを、翻訳ユニット２０に差し込むことによって、辞書の追加ができるように構成されている。
【００９６】
図７に示されるように、イヤホーン３０は、眼鏡ユニット１０のつる１０ｂの先端部から延びる第１のケーブル３６が接続される接続部３１と、第２のケーブル３７が接続された接続部３２と、音声を発する音声発生部３３とを備えている。
【００９７】
図７に示されるように、第１のケーブル３６は、眼鏡ユニット１０の補助電源部１８への充電電源供給ライン３６ａと、眼鏡ユニット１０の制御部１１への入力信号ライン３６ｃを備え、一方、第２のケーブル３７は、眼鏡ユニット１０の補助電源部１８への充電電源供給ライン３７ａと、眼鏡ユニット１０の制御部１１への入力信号ライン３７ｃと、イヤホーン３０への音声信号出力ライン３７ｄを備えている。また、第３のケーブル３８は、眼鏡ユニット１０の補助電源部１８への充電電源供給ライン３８ａと、眼鏡ユニット１０の制御部１１への入力信号ライン３８ｂと、マイクロフォン６０からの音声信号入力ライン３８ｃと、イヤホーン３０への音声信号出力ライン３８ｄを備えている。
【００９８】
以上のように構成された本実施形態にかかる電子辞書は、以下のようにして、文字または文章を翻訳する。
【００９９】
まず、眼鏡ユニット１０が、通常の眼鏡と同様に、ユーザーの頭部に装着されるとともに、イヤホーン３０が耳に装着され、翻訳ユニット２０がユーザーの首にかけられる。
【０１００】
次いで、ユーザーによって、眼鏡ユニット１０の手動操作部４５の電源スイッチ４５ａまたは翻訳ユニット２０の手動操作部２２の電源スイッチ２２ａが操作されて、電子辞書が起動される。
【０１０１】
電子辞書が起動されると、眼鏡ユニット１０の制御部１１から、表示素子５０に表示信号が出力され、眼鏡ユニット１０の表示素子５０により、眼鏡ユニット１０の眼鏡視野５５の下方に、翻訳すべき単語または文章からなる文字列を表示し、単語または文章からなる文字列の翻訳結果を表示する表示部５０ｂが形成される。
【０１０２】
翻訳に先立って、ユーザーによって、翻訳ユニット２０の手動操作部２２の辞書指定部２２ｃが操作されて、翻訳に用いられる辞書が指定される。
【０１０３】
単語または文章からなる文字列の翻訳にあたっては、ユーザーによって、翻訳すべき単語または文章からなる文字列が、マイクロフォン６０に音声入力される。
【０１０４】
マイクロフォンに音声入力された翻訳すべき単語または文章からなる文字列の音声信号は、翻訳ユニット２０に入力され、音声メモリ６５に記憶される。
【０１０５】
次いで、翻訳すべき単語または文章からなる文字列の音声信号は、信号処理部６６に出力され、通信可能な信号形式に処理されて、翻訳すべき単語または文章からなる文字列の文字列信号が生成され、制御部２１に出力される。
【０１０６】
制御部２１は、文字列信号を受けると、翻訳すべき単語または文章からなる文字列を、文字列メモリ６７に保存するとともに、眼鏡ユニット１０に出力する。
【０１０７】
同時に、翻訳ユニット２０の制御部２１は、タイマー２９を起動させる。
【０１０８】
文字列信号は、第３のケーブル３８、マイクロフォン６０、第２のケーブル３７、イヤホーン３０および第１のケーブル３６を通って、眼鏡ユニット１０の制御ブロック４０の制御部１１に送られる。
【０１０９】
制御ブロック４０の制御部１１は、文字列信号を文字列メモリ１５に出力し、翻訳すべき単語または文章からなる文字列を、文字列メモリ１５に保存するとともに、翻訳すべき単語または文章からなる文字列を、表示素子５０に出力する。
【０１１０】
眼鏡ユニット１０の表示素子５０は、制御部１１から、翻訳すべき単語または文章からなる文字列を受けると、文字列を、眼鏡ユニット１０の眼鏡視野５５内の表示部５０ｂに表示する。
【０１１１】
この時点では、表示部５０ｂに表示された単語または文章からなる文字列が、ユーザーが翻訳したいと考えている文字列であるということは確定していないので、表示素子５０は、文字列を点滅させる。
【０１１２】
その結果、表示部５０ｂに表示された文字列が、翻訳したい文字列であるときは、ユーザーによって、眼鏡ユニット１０の手動操作部４５に設けられた翻訳開始スイッチ４５ｂまたは翻訳ユニット２０の手動操作部２２に設けられた翻訳開始スイッチ２２ｂが操作される。
【０１１３】
眼鏡ユニット１０の手動操作部４５に設けられた翻訳開始スイッチ４５ｂが操作されると、翻訳開始信号が、眼鏡ユニット１０の制御部１１に入力され、第１のケーブル３６、イヤホーン３０、第２のケーブル３７、マイクロフォン６０および第３のケーブル３８を介して、翻訳ユニット２０に送られ、翻訳ユニット２０の制御部２１に入力される。
【０１１４】
一方、翻訳ユニット２０の手動操作部２２に設けられた翻訳開始スイッチ２２ｂが操作されると、翻訳開始信号が、翻訳ユニット２０の制御部２１に入力される。翻訳開始信号は、さらに、制御ブロック４０の制御部１１に転送される。
【０１１５】
翻訳開始信号を受けると、制御ブロック４０の制御部１１は、表示素子５０に文字列確定信号を出力して、表示部５０ｂに表示された文字列の点滅を停止させる。
【０１１６】
翻訳開始信号を受けると、翻訳ユニット２０の制御部２１は、文字列メモリ６７に記憶されている文字列を読み出し、辞書データベースにアクセスして、あらかじめ選択された辞書を用いて、文字列を翻訳し、第３のケーブル３８、マイクロフォン６０、第２のケーブル３７、イヤホーン３０および第１のケーブル３６を介して、眼鏡ユニット１０の制御ブロック４０に出力する。翻訳された単語または文章からなる文字列は、制御ブロック４０の制御部１１に入力され、翻訳文字列メモリ１６に記憶される。
【０１１７】
同時に、制御部１１は、翻訳された単語または文章からなる文字列を、表示素子５０に出力する。
【０１１８】
表示素子５０は、制御ブロック４０の制御部１１から、翻訳された単語または文章からなる文字列を受けると、文字列を表示部５０ｂに表示する。
【０１１９】
さらに、翻訳ユニット２０の制御部２１は、文字列を翻訳し、眼鏡ユニット１０の制御ブロック４０に出力するのと同時に、翻訳した単語または文章からなる文字列を、音声変換部３５に出力する。音声変換部３５は、入力された文字列を音声信号に変換し、第３のケーブル３８、マイクロフォン６０および第２のケーブル３７を介して、イヤホーン３０に出力し、その結果、イヤホーン３０から、翻訳された文字列に対応する音声が発せられる。
【０１２０】
これに対して、眼鏡ユニット１０の表示部５０ｂに表示された単語または文章からなる文字列が、ユーザーが翻訳したいと考えている文字列でないときは、ユーザーは、再度、マイクロフォン６０に、翻訳すべき単語または文章からなる文字列を音声入力する。
【０１２１】
マイクロフォンに音声入力された翻訳すべき単語または文章からなる文字列の音声信号は、翻訳ユニット２０に入力され、音声メモリ６５に記憶された音声信号に上書きされる。
【０１２２】
次いで、翻訳すべき単語または文章からなる文字列の音声信号は、信号処理部６６に出力され、通信可能な信号形式に処理されて、翻訳すべき単語または文章からなる文字列の文字列信号が生成され、制御部２１に出力される。
【０１２３】
制御部２１は、文字列信号を受けると、翻訳すべき単語または文章からなる文字列を、文字列メモリ６７に保存するとともに、眼鏡ユニット１０に出力する。
【０１２４】
同時に、翻訳ユニット２０の制御部２１は、タイマー２９をリセットして、再起動させる。
【０１２５】
制御ブロック４０の制御部１１は、文字列信号を文字列メモリ１５に出力し、文字列メモリ１５に保存されている文字列に、ユーザーによって、再度、入力された翻訳すべき単語または文章からなる文字列を上書きして、文字列メモリ１５に保存するとともに、翻訳すべき単語または文章からなる文字列を、表示素子５０に出力する。
【０１２６】
眼鏡ユニット１０の表示素子５０は、制御部１１から、翻訳すべき単語または文章からなる文字列を受けると、文字列を、眼鏡ユニット１０の眼鏡視野５５内の表示部５０ｂに表示する。
【０１２７】
ユーザーは、表示部５０ｂに表示された文字列が、翻訳したい文字列であるときは、眼鏡ユニット１０の手動操作部４５に設けられた翻訳開始スイッチ４５ｂまたは翻訳ユニット２０の手動操作部２２に設けられた翻訳開始スイッチ２２ｂを操作し、上述したのと同様にして、翻訳ユニット２０によって、文字列が翻訳されて、眼鏡ユニット１０の表示部５０ｂに表示される。
【０１２８】
これに対して、表示部５０ｂに表示された文字列が、ユーザーが翻訳したいと考えている文字列でないときは、ユーザーは、再度、マイクロフォン６０に、翻訳すべき単語または文章からなる文字列を音声入力し、上述したのと同様にして、翻訳ユニット２０によって、別の文字列が生成され、眼鏡ユニット１０の表示部５０ｂに表示される。
【０１２９】
一方、タイマー２９が起動されてから、所定の時間が経過したとき、すなわち、眼鏡ユニット１０の表示部５０ｂに、翻訳すべき文字列が表示されてから、ユーザーが、再度、翻訳すべき単語または文章からなる文字列を音声入力することなく、所定の時間が経過したときは、翻訳ユニット２０の制御部２１は、タイマー２９からの計時信号に基づいて、眼鏡ユニット１０の手動操作部４５に設けられた翻訳開始スイッチ４５ｂまたは翻訳ユニット２０の手動操作部２２に設けられた翻訳開始スイッチ２２ｂが操作された場合と同様にして、文字列メモリに記憶されている単語または文章からなる文字列の翻訳を開始する。
【０１３０】
これは、翻訳すべき文字列が表示されてから、所定の時間にわたって、ユーザーが、再度、翻訳すべき単語または文章からなる文字列を音声入力しないときは、ユーザーは、表示部５０ｂに表示された文字列を翻訳することに異議を有していないと認められるからである。
【０１３１】
翻訳ユニット２０の制御部２１は、辞書データベース２３にアクセスして、眼鏡ユニット１０の表示部５０ｂに表示された文字列を翻訳し、翻訳した文字列を眼鏡ユニット１０に送り、眼鏡ユニット１０の制御部１１によって、翻訳された文字列が、表示部５０ｂに表示される。
【０１３２】
本実施形態によれば、電子辞書は、眼鏡ユニット１０と、眼鏡ユニット１０と別体に形成された翻訳ユニット２０と、イヤホーン３０によって構成され、単語または文章よりなる文字列を翻訳するための機構はすべて、翻訳ユニット２０に設けられており、眼鏡ユニット１０は、単に、制御部１１、表示素子５０および手動操作部４５など最小限の機構を備えているに過ぎないから、眼鏡ユニット１０のサイズは、通常の眼鏡とほとんど変わらず、したがって、眼鏡ユニット１０を装着していても、ユーザーが違和感を抱くことはないから、歩行中にも、眼鏡ユニットを装着することができ、眼鏡ユニットを、常時、装着して、電子辞書機能を利用することができる。
【０１３３】
また、本実施態様によれば、電子辞書は、眼鏡ユニット１０と、ペンダント状に形成された翻訳ユニット２０と、イヤホーン３０と、マイクロフォン６０によって構成されているから、眼鏡ユニット１０を頭部に装着するとともに、イヤホーン３０を耳に装着し、翻訳ユニット２０を首にかけた状態で使用することができ、さらに、第１のケーブル３６は、単に、眼鏡ユニット１０のつる１０ｂの先端部とイヤホーン３０を接続しているに過ぎず、また、イヤホーン３０と翻訳ユニット２０を接続する第２のケーブル３７および第３のケーブル３８はペンダントの鎖のように見えるから、電子辞書を使用中に、周囲に違和感を与えることもない。
【０１３４】
さらに、本実施形態によれば、ユーザーが、翻訳をしたい単語または文章よりなる文字列を、マイクロフォン６０に音声入力するだけで、翻訳の対象となる単語または文章よりなる文字列が、眼鏡ユニット１０の表示部５０ｂに表示され、ユーザーが、眼鏡ユニット１０の手動操作部４５に設けられた翻訳開始スイッチ４５ｂもしくは翻訳ユニット２０の手動操作部２２に設けられた翻訳開始スイッチ２２ｂを操作したとき、または、翻訳の対象となる単語または文章よりなる文字列が、眼鏡ユニット１０の表示部５０ｂに表示されてから、所定の時間が経過するまで、再度、翻訳すべき単語または文章よりなる文字列を、マイクロフォン６０に音声入力しなかったときに、単語または文章よりなる文字列が翻訳させるように構成されているから、熟練を要することなく、所望の単語または文章よりなる文字列を翻訳することは可能になる。
【０１３５】
図８は、本発明の第三の実施形態にかかる電子辞書の略斜視図である。
【０１３６】
図８に示されるように、本実施形態にかかる電子辞書は、単語または文章の翻訳のための電子辞書として構成され、眼鏡レンズ１０ａを備えた眼鏡ユニット１０と、翻訳ユニット２０と、イヤホーン３０とを備え、眼鏡ユニット１０の眼鏡レンズ１０ａの上側のフレーム１０ｃ上に、正極端子７１と負極端子７２からなる電源入力端子７０が取り付けられている点を除いて、第一の実施形態にかかる電子辞書と同様の構成を有している。
【０１３７】
図９は、図８に示された電子辞書の電気的構成を示すブロックダイアグラムである。
【０１３８】
図９に示されるように、本実施形態にかかる電子辞書は、眼鏡ユニット１０が、正極端子７１と負極端子７２からなる電源入力端子７０を備え、眼鏡ユニット１０を眼鏡ケースに収納している間に、補助電源部１８の蓄電池が、電源入力端子７０を介して、外部電源によって、充電可能に構成されている点を除き、第一の実施形態にかかる電子辞書と同様の電気的構成を有している。
【０１３９】
図１０は、眼鏡ユニット１０と眼鏡ケースの略斜視図である。
【０１４０】
図１０に示されるように、眼鏡ケース８０は、ケース本体８１と、ケース本体８１に、ヒンジ８２によって、ケース本体８１に、開閉可能に取り付けられた上蓋８３を備え、ケース本体８１の一方の内壁には、眼鏡ユニット１０を眼鏡ケース８０に収納する際の向きを規制する向き規制部材８４が設けられている。
【０１４１】
図１０に示されるように、向き規制部材８４が設けられたケース本体８１の内壁と対向するケース本体８１の内壁には、正極端子８６および負極端子８７からなる電源入力端子８５が設けられている。
【０１４２】
したがって、向き規制部材８４は、眼鏡ユニット１０を眼鏡ケース８０に収納したときに、眼鏡ユニット１０の眼鏡レンズ１０ａの上側のフレーム１０ｃ上に取り付けられた正極端子７１および負極端子７２が、それぞれ、眼鏡ケース８０に設けられた正極端子８６および負極端子８７に確実に接触するように、その形状が決定されている。
【０１４３】
図１０に示されるように、眼鏡ケース８０には、ＡＣアダプタ９０が接続コード９１によって、着脱可能に取り付けられており、眼鏡ケース８０に設けられた正極端子８６および負極端子８７に、所定のＤＣ出力が印加されるように構成されている。
【０１４４】
したがって、第１のケーブル３６を、イヤホーン３０の接続部３１から取り外した後に、眼鏡ユニット１０を、図１０において、眼鏡レンズ１０ａの上側のフレーム１０ｃが下方を向くように、眼鏡ケース８０に収納すると、眼鏡ユニット１０の眼鏡レンズ１０ａの上側のフレーム１０ｃ上に取り付けられた正極端子７１および負極端子７２が、それぞれ、眼鏡ケース８０に設けられた正極端子８６および負極端子８７に電気的に接続され、外部電源によって、電源入力端子８５および電源入力端子７０を介して、眼鏡ユニット１０の補助電源部１８の蓄電池を充電することができる。
【０１４５】
本実施形態によれば、眼鏡ユニット１０の不使用時に、眼鏡ユニット１０を眼鏡ケース８０に収納しておくだけで、眼鏡ユニット１０の補助電源部１８の蓄電池を充電することが可能になるから、翻訳ユニット２０からの電源供給が切断されたときにも、眼鏡ユニット１０を作動させることができ、翻訳文字列メモリ１６に記憶されている翻訳された単語または文章からなる文字列を、表示部５０ｂに表示させることが可能になる。
【０１４６】
本発明は、以上の実施形態に限定されることなく、特許請求の範囲に記載された発明の範囲内で種々の変更が可能であり、それらも本発明の範囲内に包含されるものであることはいうまでもない。
【０１４７】
たとえば、前記実施形態においては、電子辞書は、単語または文章を翻訳するための電子辞書として構成されているが、本発明にかかる電子辞書は、単語または文章を異なる言語に翻訳する機能のみを有するものに限定されるものではなく、ユーザーが指定した単語の平易な言葉へ置き換えて、表示する機能、ユーザーが指定した単語の同義語を表示する機能、ユーザーが指定した単語の反意語を表示する機能などを有していてもよい。
【０１４８】
また、前記実施形態においては、翻訳ユニット２０はペンダント状に形成されているが、翻訳ユニット２０の形状は限定されるものではなく、任意の形状に形成することができる。
【０１４９】
さらに、図１ないし図４に示された第一の実施形態においては、眼鏡ユニット１０の眼鏡視野内に、十字状の視線マーク５０ａが形成されているが、視線マーク５０ａは十字状であることは必ずしも、必要でなく、図１１（Ａ）および図１１（Ｂ）に示されるように、矩形状であってもよく、また、翻訳すべき単語または文章を含む文字列が横書きであると判定したときに、図１１（Ａ）に示されるように、横長の矩形状視線マーク５０ａを形成し、翻訳すべき単語または文章を含む文字列が縦書きであると判定したときに、図１１（Ｂ）に示されるように、縦長の矩形状視線マーク５０ａを形成するようにしてもよい。
【０１５０】
また、図１ないし図４に示された第一の実施形態においては、表示部５０ｂに表示された文字列が、翻訳すべき単語または文章からなる文字列を含んでいるが、翻訳すべき単語または文章からなる文字列以外の文字列も含んでいるときに、ユーザーが、眼鏡ユニット１０に設けられた手動操作部４５の文字列指定部４５ｃを操作して、視線マーク５０ａを、翻訳すべき単語または文章からなる文字列の始点から終点まで移動させ、翻訳すべき単語または文章からなる文字列を指定するように構成されているが、図１１（Ａ）または図１１（Ｂ）に示されるように、矩形状視線マーク５０ａを表示するように構成されている場合には、手動操作部４５の文字列指定部４５ｃを操作することによって、矩形状視線マーク５０ａの長さを変化させ、翻訳すべき単語または文章からなる文字列が、矩形状視線マーク５０ａによって画定されるようにして、翻訳すべき単語または文章からなる文字列を指定するようにすることもできる。
【０１５１】
さらに、前記実施形態においては、表示部５０ｂに、翻訳すべき単語もしくは文章を含む文字列または翻訳された文字列を表示するように構成されているが、翻訳前の文字列と翻訳された文字列を、同時に、表示部５０ｂに表示することもでき、たとえば、表示部５０ｂの上側の行に、翻訳前の文字列を表示し、下側の行に、翻訳された文字列を表示するようにしてもよい。
【０１５２】
また、図１ないし図４に示された第一の実施形態においては、ＯＣＲ２４が、翻訳すべき単語または文章を含む文字列が横書きか、縦書きかを判定しているが、あらかじめ、ユーザーが手動によって、翻訳すべき単語または文章を含む文字列が横書きか、縦書きかを指定するようにしてもよい。
【０１５３】
さらに、前記実施形態においては、翻訳した単語または文章からなる文字列をイヤホーン３０から音声出力するように構成されているが、翻訳した単語または文章からなる文字列をイヤホーン３０から音声出力することは必ずしも必要でなく、さらには、電子辞書がイヤホーン３０を備えていることも必ずしも必要でない。
【０１５４】
また、前記実施形態においては、第１のケーブル３６が、眼鏡ユニット１０のつる１０ｂの先端部から、延出しているが、つる１０ｂの途中から、延出していてもよい。
【０１５５】
さらに、前記実施形態においては、翻訳開始前に、表示部５０ｂに表示された文字列を点滅させているが、点滅に代えて、下線付きで文字列を表示しても、色を変えて、文字列を表示してもよく、さらには、これらを組み合わせて、文字列が未確定であることを表示するようにしてもよい。
【０１５６】
また、前記実施形態においては、眼鏡ユニット１０、翻訳ユニット２０、イヤホーン３０およびマイクロフォン６０との間を、有線で通信しているが、無線で通信するようにしてもよい。
【０１５７】
さらに、図８ないし図１０に示された第三の実施形態においては、眼鏡ユニット１０は、補助電源部１８の蓄電池に充電可能な太陽電池４１を備えているが、眼鏡ユニット１０を眼鏡ケース８０に収納している間に、外部電源によって、補助電源部１７の蓄電池を充電することができるから、太陽電池４１を省略することもできる。
【０１５８】
また、前記実施形態の眼鏡ユニット１０に時計を内蔵させ、補助電源部１８によって、眼鏡レンズ１０ａの視野内に、時刻を表示させることもできる。
【図面の簡単な説明】
【０１５９】
【図１】図１は、本発明の第一の実施形態にかかる電子辞書の略斜視図である。
【図２】図２は、眼鏡ユニットの略縦断面図である。
【図３】図３は、図１に示された電子辞書の電気的構成を示すブロックダイアグラムである。
【図４】図４は、眼鏡ユニットの眼鏡視野を示す略正面図である。
【図５】図５は、本発明の第二の実施形態にかかる電子辞書の略斜視図である。
【図６】図６は、図５に示される電子辞書の眼鏡ユニットの略縦断面図である。
【図７】図７は、図５に示された電子辞書の電気的構成を示すブロックダイアグラムである。
【図８】図８は、本発明の第三の実施形態にかかる電子辞書の略斜視図である。
【図９】図９は、図８に示された電子辞書の電気的構成を示すブロックダイアグラムである。
【図１０】図１０は、図８に示された電子辞書の眼鏡ユニットと眼鏡ケースの略斜視図である。
【図１１】図１１は、眼鏡ユニットの眼鏡視野の他の例を示す略正面図である。
【符号の説明】
【０１６０】
１０  眼鏡ユニット
１０ａ  眼鏡レンズ
１０ｂ  上側のフレーム
１０ｃ  つる
１０ｄ  ホログラムミラー
１１  制御部
１２  カメラ
１３  画像メモリ
１４  信号処理部
１５  文字列メモリ
１６  翻訳文字列メモリ
１８  補助電源部
２０  翻訳ユニット
２１  制御部
２２  手動操作部
２２ａ  電源スイッチ
２２ｂ  翻訳開始スイッチ
２２ｃ  辞書指定部
２３  辞書データベース
２４  ＯＣＲ
２５  画像メモリ
２６  音声変換部
２８  電源部
２９  タイマー
３０  イヤホーン
３３  音声発生部
３６  第１のケーブル
３７  第２のケーブル
３８  第３のケーブル
４０  制御ブロック
４１  太陽電池
４５  手動操作部
４５ａ  電源スイッチ
４５ｂ  翻訳開始スイッチ
４５ｃ  文字列指定部
５０  表示素子
５０ａ  視線マーク
５０ｂ  表示部
６０  マイクロフォン
６５  音声メモリ
６６  信号処理部
６７  文字列メモリ
７０  電源入力端子
７１  正極端子
７２  負極端子
８０  眼鏡ケース
８１  ケース本体
８２  ヒンジ
８３  上蓋
８４  向き規制部材
８５  電源入力端子
８６  正極端子
８７  負極端子
９０  ＡＣアダプタ
９１  接続コード
【図１】
2007280165.tif 000003
【図２】
2007280165.tif 000004
【図３】
2007280165.tif 000005
【図４】
2007280165.tif 000006
【図５】
2007280165.tif 000007
【図６】
2007280165.tif 000008
【図７】
2007280165.tif 000009
【図８】
2007280165.tif 000010
【図９】
2007280165.tif 000011
【図１０】
2007280165.tif 000012
【図１１】
2007280165.tif 000013